(57)【要約】  ヘッドスピードを上げて飛距離を伸ばすとともに、タイミングが合わせやすく、打ちやすいゴルフクラブシャフト及びゴルフクラブを得る。  金属箔は、該金属箔の巻回部分の重量を増加させながらシャフト本体の長手方向の剛性を先端側から基端側にかけて滑らかに増加させるために、次の条件式（１）、（２）、（３）を満足する。（１）０．５０＜Ｌｍｆ／Ｌｓ（２）Ｌｍｒ／Ｌｓ＜０．９０（３）０．０３＜Ｗｍ／Ｗｓ＜０．０９但し、Ｌｍｆ：シャフト本体の長手方向の先端位置から金属箔の巻回開始位置までの長さ、Ｌｍｒ：シャフト本体の長手方向の先端位置から金属箔の巻回終了位置までの長さ、Ｌｓ：シャフト本体の長さ、Ｗｍ：金属箔の重量、Ｗｓ：シャフト本体の重量。
2017033307.tif 000002
【特許請求の範囲】
【請求項１】
強化繊維に熱硬化性樹脂を含浸させたプリプレグを巻回し熱硬化させてなるシャフト本体を有するゴルフクラブシャフトにおいて、
前記シャフト本体の長手方向の一部に位置させて金属箔を巻回したこと；及び
前記金属箔は、該金属箔の巻回部分の重量を増加させながら前記シャフト本体の長手方向の剛性を先端側から基端側にかけて滑らかに増加させるために、次の条件式（１）、（２）、（３）を満足すること；
を特徴とするゴルフクラブシャフト。
（１）０．５０＜Ｌｍｆ／Ｌｓ
（２）Ｌｍｒ／Ｌｓ＜０．９０
（３）０．０３＜Ｗｍ／Ｗｓ＜０．０９
但し、
Ｌｍｆ：シャフト本体の長手方向の先端位置から金属箔の巻回開始位置までの長さ、
Ｌｍｒ：シャフト本体の長手方向の先端位置から金属箔の巻回終了位置までの長さ、
Ｌｓ：シャフト本体の長さ、
Ｗｍ：金属箔の重量、
Ｗｓ：シャフト本体の重量。
【請求項２】
請求項１記載のゴルフクラブシャフトにおいて、
次の条件式（４）を満足するゴルフクラブシャフト。
（４）０．０５＜Ｌｍｔ／Ｌｓ＜０．３５
但し、
Ｌｍｔ：金属箔の巻回開始位置から巻回終了位置までの長さ、
Ｌｓ：シャフト本体の長さ。
【請求項３】
請求項１または２記載のゴルフクラブシャフトにおいて、
前記金属箔の密度は７．５ｇ／ｃｍ3以上であるゴルフクラブシャフト。
【請求項４】
請求項１ないし３のいずれか１項記載のゴルフクラブシャフトにおいて、
前記金属箔の比剛性は３０００×１０3ｍ以下であるゴルフクラブシャフト。
【請求項５】
請求項１ないし４のいずれか１項記載のゴルフクラブシャフトにおいて、
前記金属箔は銅箔からなるゴルフクラブシャフト。
【請求項６】
請求項１ないし５のいずれか１項記載のゴルフクラブシャフトにクラブヘッドとグリップを装着したゴルフクラブ。
【発明の詳細な説明】
【技術分野】
【０００１】
本発明は、ゴルフクラブシャフト及びゴルフクラブに関する。
【背景技術】
【０００２】
近年、ゴルフクラブシャフトでは、少しでもヘッドスピードを上げて飛距離を伸ばすことが要求されている。このような飛距離追求型のゴルフクラブシャフトは、一般的に、しなりのピークが感じられない傾向にあり、タイミングが合わせづらく、打ちにくいものとなってしまう。【０００３】
また、シャフトの長さ方向に剛性差を設けることで打ちやすくするための各種の提案がなされているが、シャフトの剛性が局所的に高くなることで、ユーザの好みが分かれてしまう。
【先行技術文献】
【特許文献】
【０００４】
【特許文献１】特開平１１−２８５５５０号公報
【特許文献２】特開２００１−８７４２４号公報
【発明の概要】
【発明が解決しようとする課題】
【０００５】
本発明は、以上の問題意識に基づいて完成されたものであり、ヘッドスピードを上げて飛距離を伸ばすとともに、タイミングが合わせやすく、打ちやすいゴルフクラブシャフト及びゴルフクラブを得ることを目的とする。
【課題を解決するための手段】
【０００６】
本発明者らは、鋭意研究の結果、シャフト本体の長手方向の一部に位置させて金属箔を巻回するとともに、この金属箔の巻回位置及び巻回長さ並びに重量等の各種パラメータを最適設定することで、金属箔の巻回部分の重量を増加させながらシャフト本体の長手方向の剛性を先端側から基端側にかけて滑らかに増加させ、以って、ヘッドスピードを上げて飛距離を伸ばすとともに、タイミングを合わせやすく、打ちやすいゴルフクラブシャフト及びゴルフクラブが得られることを見出した。【０００７】
本発明のゴルフクラブシャフトは、強化繊維に熱硬化性樹脂を含浸させたプリプレグを巻回し熱硬化させてなるシャフト本体を有するゴルフクラブシャフトにおいて、前記シャフト本体の長手方向の一部に位置させて金属箔を巻回したこと；及び前記金属箔は、該金属箔の巻回部分の重量を増加させながら前記シャフト本体の長手方向の剛性を先端側から基端側にかけて滑らかに増加させるために、次の条件式（１）、（２）、（３）を満足すること；を特徴としている。
（１）０．５０＜Ｌｍｆ／Ｌｓ
（２）Ｌｍｒ／Ｌｓ＜０．９０
（３）０．０３＜Ｗｍ／Ｗｓ＜０．０９
但し、
Ｌｍｆ：シャフト本体の長手方向の先端位置から金属箔の巻回開始位置までの長さ、
Ｌｍｒ：シャフト本体の長手方向の先端位置から金属箔の巻回終了位置までの長さ、
Ｌｓ：シャフト本体の長さ、
Ｗｍ：金属箔の重量、
Ｗｓ：シャフト本体の重量、
である。【０００８】
条件式（１）が規定する条件範囲の中でも、次の条件式（１’）を満足することが好ましい。
（１’）０．５０５＜Ｌｍｆ／Ｌｓ【０００９】
条件式（２）が規定する条件範囲の中でも、次の条件式（２’）を満足することが好ましい。
（２’）Ｌｍｒ／Ｌｓ＜０．８９０【００１０】
条件式（３）が規定する条件範囲の中でも、次の条件式（３’）を満足することが好ましい。
（３’）０．０３９＜Ｗｍ／Ｗｓ＜０．０６９【００１１】
本発明のゴルフクラブシャフトは、次の条件式（４）を満足することが好ましい。
（４）０．０５＜Ｌｍｔ／Ｌｓ＜０．３５
但し、
Ｌｍｔ：金属箔の巻回開始位置から巻回終了位置までの長さ、
Ｌｓ：シャフト本体の長さ、
である。【００１２】
条件式（４）が規定する条件範囲の中でも、次の条件式（４’）を満足することが好ましい。
（４’）０．１５＜Ｌｍｔ／Ｌｓ＜０．２５【００１３】
前記金属箔の密度は７．５ｇ／ｃｍ3以上であることが好ましい。【００１４】
前記金属箔の比剛性は３０００×１０3ｍ以下であることが好ましい。【００１５】
前記金属箔は銅箔からなることが好ましい。【００１６】
本発明のゴルフクラブは、上述したいずれかのゴルフクラブシャフトにクラブヘッドとグリップを装着したものである。
【発明の効果】
【００１７】
本発明によれば、ヘッドスピードを上げて飛距離を伸ばすとともに、タイミングが合わせやすく、打ちやすいゴルフクラブシャフト及びゴルフクラブが得られる。
【図面の簡単な説明】
【００１８】
【図１】第１実施形態によるゴルフクラブシャフトの構成を示す図である。
【図２】第２実施形態によるゴルフクラブシャフトの構成を示す図である。
【図３】第３実施形態によるゴルフクラブシャフトの構成を示す図である。
【図４】条件式（１）、（２）、（４）の各パラメータを説明するための図である。
【図５】第１実施形態−第３実施形態によるゴルフクラブシャフトの条件式（１）−（４）の各パラメータの対応数値を示す図表である。
【図６】比較例１によるゴルフクラブシャフトの構成を示す図である。
【図７】比較例２によるゴルフクラブシャフトの構成を示す図である。
【図８】比較例３によるゴルフクラブシャフトの構成を示す図である。
【図９】比較例１−比較例３によるゴルフクラブシャフトの条件式（１）−（４）の各パラメータの対応数値を示す図表である。
【図１０】第１実施形態のゴルフクラブシャフトと比較例１−３のゴルフクラブシャフトの長手方向のＥＩ値の特性を示すグラフ図である。
【図１１】第１実施形態のゴルフクラブシャフトと比較例１−３のゴルフクラブシャフトの長手方向のＭＡＳＳ値の特性を示すグラフ図である。
【図１２】第１実施形態のゴルフクラブシャフトと比較例１−３のゴルフクラブシャフトをテスターが試打した際のヘッドスピードを示すグラフ図である。
【図１３】第１実施形態のゴルフクラブシャフトと比較例１−３のゴルフクラブシャフトをテスターが試打した際の飛距離を示すグラフ図である。
【図１４】第１実施形態のゴルフクラブシャフトと比較例１−３のゴルフクラブシャフトをテスターが試打した際のヘッドスピードと飛距離を示す図表である。
【図１５】第１実施形態のゴルフクラブシャフトと比較例１−３のゴルフクラブシャフトをテスターが試打した際の打ち心地の評点を示す図表である。
【発明を実施するための形態】
【００１９】
≪第１実施形態≫
図１は、第１実施形態によるゴルフクラブシャフト１０を示している。ゴルフクラブシャフト１０は、その先端小径側（チップ側）から基端大径側（バット側）に向かって漸次外径を大きくしたテーパ筒状に形成されている。ゴルフクラブシャフト１０は、小径側先端部にクラブヘッド（図示せず）が装着され、大径側基端部にグリップ（図示せず）が装着されてゴルフクラブとされる。
【００２０】
ゴルフクラブシャフト１０は、強化繊維（ここではカーボン繊維）に熱硬化性樹脂を含浸させたプリプレグを巻回し熱硬化させてなるシャフト本体１０Ｓを有している。より具体的に、シャフト本体１０Ｓは、テーパ状のマンドレル（図示せず）に、内層（下層）から外層（上層）に向かって順に、プリプレグ１１〜１８を巻回して熱硬化させたものである。
【００２１】
プリプレグ１１は、繊維方向がシャフト長手方向と平行をなす０°プリプレグであり、シャフト本体１０Ｓの先端補強層となる。プリプレグ１２、１３は、繊維方向がシャフト長手方向に対して＋４５°と−４５°をなすバイアスプリプレグであり、シャフト本体１０Ｓの全長層となる。プリプレグ１４は、繊維方向がシャフト長手方向と平行をなす０°プリプレグであり、シャフト本体１０Ｓの先端側の略半分を構成する部分層となる。プリプレグ１５、１６、１７は、繊維方向がシャフト長手方向と平行をなす０°プリプレグであり、シャフト本体１０Ｓの全長層となる。プリプレグ１８は、繊維方向がシャフト長手方向と平行をなす０°プリプレグであり、シャフト本体１０Ｓの先端部をクラブヘッドのホーゼル径に対応するストレート部とするためのものである。全長プリプレグ１２、１３、１５、１６、１７は、マンドレル（図示せず）に巻回したときに同じ巻数になるように、大径側基端部から小径側先端部に向かって狭くなる台形状に形成されている。
【００２２】
プリプレグ１３とプリプレグ１５との間には、プリプレグ１４と重ならない基端側の一部（シャフト本体１０Ｓの長手方向の一部）に位置させて、金属箔（ここでは銅箔）１０Ｍが巻回されている。すなわち、プリプレグ１４と金属箔１０Ｍは同一積層領域に配置されており、プリプレグ１４がシャフト中間部より先端側、金属箔１０Ｍがシャフト中間部より基端側にそれぞれ配置されている。金属箔１０Ｍは、その弾性力によって適度な柔らかさを持っており、プリプレグ１１〜１８と同様の扱いによってマンドレル（図示せず）に作業性良く巻回することができる。
【００２３】
≪第２実施形態≫
図２は、第２実施形態によるゴルフクラブシャフト１０を示している。この第２実施形態は、第１実施形態のゴルフクラブシャフト１０の基本構成において、金属箔（銅箔）１０Ｍの重量を若干小さくしてこれを条件式（１）を満足する範囲内で条件式（１）の下限側（すなわち先端側）にシフトするとともに、プリプレグ１７の重量を若干小さくしたものである。
【００２４】
≪第３実施形態≫
図３は、第３実施形態によるゴルフクラブシャフト１０を示している。この第３実施形態は、第１実施形態のゴルフクラブシャフト１０の基本構成において、金属箔（銅箔）１０Ｍの重量を若干大きくしてこれを条件式（１）を満足する範囲内で条件式（１）の上限側（すなわち基端側）にシフトするとともに、プリプレグ１７の重量を若干小さくしたものである。
【００２５】
第１実施形態〜第３実施形態のゴルフクラブシャフト１０は、シャフト本体１０Ｓの基端側の一部に金属箔１０Ｍが含まれている。金属箔１０Ｍは、その密度が７．５ｇ／ｃｍ3以上であり、その比剛性が３０００×１０3ｍ以下である材料から構成することが好ましい。本実施形態では、これらの３条件を満足する金属箔１０Ｍとして、銅箔を使用している。銅箔は、その密度が８．９４ｇ／ｃｍ3であり、その比剛性が１４５４×１０3ｍである。金属箔１０Ｍとして、上記３条件を満足する銅箔を使用することにより、部分的にＥＩを変化することなく、重量を増加することができる。
【００２６】
なお、金属箔１０Ｍは、上記３条件を必ずしも満足する必要はなく、銅箔以外の材料、例えば、タングステン、ステンレス、チタン等の各種の材料から構成することが可能である。
【００２７】
第１実施形態〜第３実施形態のゴルフクラブシャフト１０は、金属箔１０Ｍの巻回部分の重量を増加させながらシャフト本体１０Ｓの長手方向の剛性を先端側から基端側にかけて滑らかに増加させるために、条件式（１）、（２）、（３）を満足することを１つの特徴としている。この作用効果は条件式（４）を満足することでより一層顕著に得ることができる。
【００２８】
図４、図５に示すように、条件式（１）は、シャフト本体１０Ｓの長手方向の先端位置から金属箔１０Ｍの巻回開始位置までの長さＬｍｆをシャフト本体１０Ｓの長さＬｓで除したものであり、条件式（２）は、シャフト本体１０Ｓの長手方向の先端位置から金属箔１０Ｍの巻回終了位置までの長さＬｍｒをシャフト本体の長さＬｓで除したものである。すなわち、条件式（１）、（２）は、シャフト本体１０Ｓに占める金属箔１０Ｍの巻回位置（巻回範囲）を規定している。
条件式（１）、（２）を満足することで、打ち心地が良くなりヘッドスピードが増加する。
条件式（１）の下限を下回ると、打ち心地が悪くなりヘッドスピードが減少してしまう。
条件式（２）の上限を上回ると、打ち心地が悪くなりヘッドスピードが減少してしまう。
【００２９】
図５に示すように、条件式（３）は、金属箔１０Ｍの重量Ｗｍと、シャフト本体１０Ｓの重量Ｗｓとの比を規定している。
条件式（３）を満足することで、打ち心地が良くなりヘッドスピードが増加する。
条件式（３）の上限を上回ると、シャフト重量が重くなりヘッドスピードが減少してしまう。
条件式（３）の下限を下回ると、打ち心地が良くなりヘッドスピードが増加する効果が得られなくなってしまう。
【００３０】
図４、図５に示すように、条件式（４）は、金属箔１０Ｍの巻回開始位置から巻回終了位置までの長さＬｍｔ（＝Ｌｍｒ−Ｌｍｆ）をシャフト本体１０ｓの長さＬｓで除したものである。すなわち、条件式（４）は、シャフト本体１０Ｓに占める金属箔１０Ｍの巻回長さを規定している。
条件式（４）を満足することで、打ち心地が良くなりヘッドスピードが増加する。
条件式（４）の上限を上回ると、シャフト重量が重くなりヘッドスピードが減少してしまう。
条件式（４）の下限を下回ると、打ち心地が良くなりヘッドスピードが増加する効果が得られなくなってしまう。
【００３１】
≪比較例１≫
図６、図９は、比較例１によるゴルフクラブシャフト１０’を示している。この比較例１は、第１実施形態〜第３実施形態のゴルフクラブシャフト１０の基本構成において、金属箔（銅箔）１０Ｍを省略するとともに、プリプレグ１７の重量を若干大きくしたものである。
【００３２】
≪比較例２≫
図７、図９は、比較例２によるゴルフクラブシャフト１０’を示している。この比較例２は、第１実施形態〜第３実施形態のゴルフクラブシャフト１０の基本構成において、金属箔（銅箔）１０Ｍの重量を若干小さくしてこれを条件式（１）の下限を下回る先端側にシフトするとともに、プリプレグ１７の重量を若干大きくしたものである。
【００３３】
≪比較例３≫
図８、図９は、比較例３によるゴルフクラブシャフト１０’を示している。この比較例３は、第１実施形態〜第３実施形態のゴルフクラブシャフト１０の基本構成において、金属箔（銅箔）１０Ｍの重量を若干小さくしてこれを条件式（２）の上限を上回る基端側にシフトするとともに、プリプレグ１７の重量を若干大きくしたものである。
【００３４】
≪第１実施形態のゴルフクラブシャフト１０と比較例１−３のゴルフクラブシャフト１０’の対比検討≫
図１０は、第１実施形態のゴルフクラブシャフト１０と比較例１−３のゴルフクラブシャフト１０’の長手方向のＥＩ値の特性を示している。同図に示すように、金属箔（銅箔）をいずれの位置に巻回してもＥＩ値は変化していないことがわかる。
【００３５】
図１１は、第１実施形態のゴルフクラブシャフト１０と比較例１−３のゴルフクラブシャフト１０’の長手方向のＭＡＳＳ値の特性を示している。同図に示すように、金属箔（銅箔）を巻回した部分のみ質量が増加していることがわかる。
【００３６】
≪テスターによる試打結果≫
本発明者らは、第１実施形態のゴルフクラブシャフト１０と比較例１−３のゴルフクラブシャフト１０’を実際に作製し、ゴルフ上級者である１０名のテスターＡ、Ｂ、Ｃ、Ｄ、Ｅ、Ｆ、Ｇ、Ｈ、Ｉ、Ｊによる試打試験を実行した。その結果を図１２−図１５に示す。
【００３７】
図１２−図１４は、第１実施形態のゴルフクラブシャフト１０と比較例１−３のゴルフクラブシャフト１０’をテスターが試打した際のヘッドスピードと飛距離を示している。同図に示すように、ヘッドスピードと飛距離ともに、第１実施形態のゴルフクラブシャフト１０が比較例１−３のゴルフクラブシャフト１０’を大幅に上回っている。
【００３８】
図１５は、１０名のテスターが、第１実施形態のゴルフクラブシャフト１０と比較例１−３のゴルフクラブシャフト１０’の打ち心地を５点満点で評点したものである。同図に示すように、１０名のテスターによる評点平均値は、比較例１と比較例２のゴルフクラブシャフト１０’が３．０点、比較例３のゴルフクラブシャフト１０’が４．１点であるのに対し、第１実施形態のゴルフクラブシャフト１０が４．６点でかなりの高得点となっている。
【産業上の利用可能性】
【００３９】
本発明のゴルフクラブシャフト及びゴルフクラブは、ゴルフクラブシャフト及びゴルフクラブの産業分野に用いて好適である。
【符号の説明】
【００４０】
１０  ゴルフクラブシャフト
１０Ｓ  シャフト本体
１０Ｍ  金属箔（銅箔）
【図１】
2017033307.tif 000003
【図２】
2017033307.tif 000004
【図３】
2017033307.tif 000005
【図４】
2017033307.tif 000006
【図５】
2017033307.tif 000007
【図６】
2017033307.tif 000008
【図７】
2017033307.tif 000009
【図８】
2017033307.tif 000010
【図９】
2017033307.tif 000011
【図１０】
2017033307.tif 000012
【図１１】
2017033307.tif 000013
【図１２】
2017033307.tif 000014
【図１３】
2017033307.tif 000015
【図１４】
2017033307.tif 000016
【図１５】
2017033307.tif 000017
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
強化繊維に熱硬化性樹脂を含浸させたプリプレグを巻回し熱硬化させてなるシャフト本体を有するゴルフクラブシャフトにおいて、
前記シャフト本体の長手方向の一部に位置させて金属箔を巻回したこと；及び
前記金属箔は、該金属箔の巻回部分の重量を増加させながら前記シャフト本体の長手方向の剛性を先端側から基端側にかけて滑らかに増加させるために、次の条件式（１）、（２）、（３）を満足すること；
を特徴とするゴルフクラブシャフト。
（１）０．５０＜Ｌｍｆ／Ｌｓ
（２）Ｌｍｒ／Ｌｓ＜０．９０
（３）０．０３＜Ｗｍ／Ｗｓ＜０．０９
但し、
Ｌｍｆ：シャフト本体の長手方向の先端位置から金属箔の巻回開始位置までの長さ、
Ｌｍｒ：シャフト本体の長手方向の先端位置から金属箔の巻回終了位置までの長さ、
Ｌｓ：シャフト本体の長さ、
Ｗｍ：金属箔の重量、
Ｗｓ：シャフト本体の重量。
【請求項２】
請求項１記載のゴルフクラブシャフトにおいて、
次の条件式（４）を満足するゴルフクラブシャフト。
（４）０．０５＜Ｌｍｔ／Ｌｓ＜０．３５
但し、
Ｌｍｔ：金属箔の巻回開始位置から巻回終了位置までの長さ、
Ｌｓ：シャフト本体の長さ。
【請求項３】
請求項１または２記載のゴルフクラブシャフトにおいて、
前記金属箔の密度は７．５ｇ／ｃｍ３以上であるゴルフクラブシャフト。
【請求項４】
請求項１ないし３のいずれか１項記載のゴルフクラブシャフトにおいて、
前記金属箔の比剛性は３０００×１０３ｍ以下であるゴルフクラブシャフト。
【請求項５】
請求項１ないし４のいずれか１項記載のゴルフクラブシャフトにおいて、
前記金属箔は銅箔からなるゴルフクラブシャフト。
【請求項６】
請求項１ないし５のいずれか１項記載のゴルフクラブシャフトにクラブヘッドとグリップを装着したゴルフクラブ。
【請求項７】
請求項１ないし５のいずれか１項記載のゴルフクラブシャフトにおいて、
次の条件式（３’）を満足するゴルフクラブシャフト。
（３’）０．０３９＜Ｗｍ／Ｗｓ＜０．０６９
【請求項８】
請求項１ないし５、７のいずれか１項記載のゴルフクラブシャフトにおいて、
前記シャフト本体は、内層側と外層側に位置する一対の全長プリプレグを熱硬化させた一対の全長層と、前記一対の全長層の間の先端側に位置する先端側部分プリプレグを熱硬化させた先端側部分層と、を有しており、
前記金属箔は、前記一対の全長層の間の基端側に位置しており、
前記先端側部分層と前記金属箔は、前記一対の全長層の間の同一積層領域において、先端側と基端側で互いに重なることなく配置されているゴルフクラブシャフト。
【国際調査報告】
2017033307.tif 000018
2017033307.tif 000019
2017033307.tif 000020
2017033307.tif 000021